(57)【要約】【課題】接続対象物が完全に挿入されたことを挿入操作時の感触によって確認することができるとともに、接続対象物を確実に仮保持することのできるコネクタを提供する。【解決手段】各係止部１５を非弾性部材によって形成するとともに、コネクタ本体１０の端子配列方向両端側に、コネクタ本体１０内に挿入されたフレキシブルケーブルＡの上面に接触しながら上方に弾性変形し、ケーブルＡの切欠部Ａ２が係止部１５に嵌合すると、ケーブルＡを下方に付勢しながら復元する仮保持部材４０を設けたので、ケーブルＡの各切欠部Ａ２が各係止部１５に嵌合したときには、仮保持部材４０によって付勢されたケーブルＡが下方に押圧されながら各係止部１５に嵌合する感触がケーブルＡを介して得られる。従って、ケーブルＡが未完全挿入されるのを確実に防止することができる。【選択図】図５
2006269272.tif 000002
【特許請求の範囲】
【請求項１】
接続対象物の一端を所定位置に挿入可能なコネクタ本体と、コネクタ本体に挿入された接続対象物に接触する複数の端子と、コネクタ本体内に挿入されることにより接続対象物を各端子側に押圧する押圧部材とを備え、コネクタ本体の端子配列方向両端側に係止部を突設し、接続対象物をコネクタ本体に挿入すると、接続対象物の先端側が係止部を乗り越えるとともに、接続対象物の両側端部に設けた切欠部が係止部に嵌合して反挿入方向に係止するようにしたコネクタにおいて、
前記係止部を非弾性部材によって形成するとともに、
コネクタ本体の端子配列方向両端側に、コネクタ本体内に挿入された接続対象物の一方の面に接触しながら所定方向に弾性変形し、接続対象物の切欠部が係止部に嵌合すると、接続対象物を係止部との嵌合方向に付勢しながら復元する仮保持部材を設けた
ことを特徴とするコネクタ。
【請求項２】
前記係止部をコネクタ本体と一体に形成した
ことを特徴とする請求項１記載のコネクタ。
【請求項３】
前記係止部の前端部をコネクタ本体の後方に向かって上り傾斜をなすように形成した
ことを特徴とする請求項１または２記載のコネクタ。
【請求項４】
前記係止部を各端子が接続対象物との接触方向に突出した高さよりも高くなるように形成した
ことを特徴とする請求項１、２または３記載のコネクタ。
【請求項５】
接続対象物の一端を所定位置に挿入可能なコネクタ本体と、コネクタ本体に挿入された接続対象物に接触する複数の端子と、コネクタ本体内に挿入されることにより接続対象物を各端子側に押圧する押圧部材とを備えたコネクタにおいて、
コネクタ本体の端子配列方向両端側に、コネクタ本体に挿入された接続対象物の一方の面に接触しながら所定方向に弾性変形し、接続対象物をコネクタ本体の所定位置まで挿入すると、接続対象物の両側端部に設けた切欠部に復元しながら嵌合する仮保持部材を設けた
ことを特徴とするコネクタ。
【請求項６】
前記仮保持部材にコネクタ本体が接続される基板に接続するための接続部を設けた
ことを特徴とする請求項１、２、３、４または５記載のコネクタ。
【発明の詳細な説明】
【技術分野】
【０００１】
本発明は、例えばフレキシブルプリント基板（ＦＰＣ）やフレキシブルフラットケーブル（ＦＦＣ）等を接続するためのコネクタに関するものである。
【背景技術】
【０００２】
従来、この種のコネクタとして、接続対象物の一端を所定位置に挿入可能なコネクタ本体と、コネクタ本体に挿入された接続対象物に接触する複数の端子と、コネクタ本体内に挿入されることにより接続対象物を各端子側に押圧する押圧部材とを備え、接続対象物に設けられた導電部と端子との接点部において接続対象物を仮保持するための仮保持部材を設けることにより、接続対象物が押圧部材によって押圧される前にコネクタ本体から抜けたり、位置ずれによって接触不良が生じることを防止するようにしたものが知られている。
【０００３】
しかしながら、このコネクタでは、仮保持部材によって接続対象物が仮保持されたことを確認することができないので、接続対象物がコネクタ本体に完全に挿入されていない状態で各端子に接続対象物の導電部が接触して通電する場合がある。このとき、接続対象物が押圧部材によって端子側に押圧される前にコネクタ本体から抜け出したり、接続対象物と各端子との間に位置ずれが生じて、接触不良や接続対象物の導電部に条線が付く等の破損が生じるという問題点があった。
【０００４】
そこで、コネクタ本体内の端子配列方向両端側に接続対象物を係止するための弾性支持片を設けることにより、接続対象物をコネクタ本体に挿入したときに接続対象物の両側端部に設けた切欠部が弾性支持片に嵌合して、弾性支持片との係止により接続対象物の反挿入方向への移動を規制することで接続対象物を仮保持するようにしたものが知られている（例えば特許文献１参照）。
【特許文献１】特開２００３−１００３７０号公報
【発明の開示】
【発明が解決しようとする課題】
【０００５】
しかしながら、接続対象物が弾性支持片によってコネクタ本体に仮保持された状態においても、接続対象物を反挿入方向に引き出すと、弾性支持片が弾性変形して接続対象物との嵌合を解除されるので、接続対象物がコネクタ本体内で移動可能となる。従って、前述と同様に接続対象物が不十分な状態で仮保持されることになるので、接続対象物がコネクタ本体から抜け出したり、接続対象物の導電部に条線が付く等の破損が生じるのを防止することができないという問題点があった。
【０００６】
本発明は前記問題点に鑑みてなされたものであり、その目的とするところは、接続対象物が完全に挿入されたことを挿入操作時の感触によって確認することができるとともに、接続対象物を確実に仮保持することのできるコネクタを提供することにある。
【課題を解決するための手段】
【０００７】
本発明は、前記目的を達成するために、接続対象物の一端を所定位置に挿入可能なコネクタ本体と、コネクタ本体に挿入された接続対象物に接触する複数の端子と、コネクタ本体内に挿入されることにより接続対象物を各端子側に押圧する押圧部材とを備え、コネクタ本体の端子配列方向両端側に係止部を突設し、接続対象物をコネクタ本体に挿入すると、接続対象物の先端側が係止部を乗り越えるとともに、接続対象物の両側端部に設けた切欠部が係止部に嵌合して反挿入方向に係止するようにしたコネクタにおいて、前記係止部を非弾性部材によって形成するとともに、コネクタ本体の端子配列方向両端側に、コネクタ本体内に挿入された接続対象物の一方の面に接触しながら所定方向に弾性変形し、接続対象物の切欠部が係止部に嵌合すると、接続対象物を係止部との嵌合方向に付勢しながら復元する仮保持部材を設けている。
【０００８】
これにより、接続対象物がコネクタ本体に完全に挿入されたとき、即ち接続対象物の切欠部が係止部に嵌合したときには、仮保持部材によって付勢された接続対象物が係止部との嵌合方向に押圧されながら嵌合する感触が接続対象物を介して得られる。また、接続対象物は反挿入方向に係止されているので、接続対象物を反挿入方向に移動させることができない。
【０００９】
また、本発明は、接続対象物の一端を所定位置に挿入可能なコネクタ本体と、コネクタ本体に挿入された接続対象物に接触する複数の端子と、コネクタ本体内に挿入されることにより接続対象物を各端子側に押圧する押圧部材とを備えたコネクタにおいて、コネクタ本体の端子配列方向両端側に、コネクタ本体に挿入された接続対象物の一方の面に接触しながら所定方向に弾性変形し、接続対象物をコネクタ本体の所定位置まで挿入すると、接続対象物の両側端部に設けた切欠部に復元しながら嵌合する仮保持部材を設けている。
【００１０】
これにより、接続対象物がコネクタ本体に完全に挿入されたとき、即ち接続対象物がコネクタ本体の所定位置まで挿入されたときには、仮保持部材が元の形状に復元しながら接続対象物の切欠部に嵌合する感触が接続対象物を介して得られる。また、接続対象物の切欠部が仮保持部材に嵌合されているので、接続対象物を反挿入方向に移動させることができない。
【発明の効果】
【００１１】
本発明によれば、接続対象物がコネクタ本体に完全に挿入されたことを、挿入操作時の感触によって確認することができるので、接続対象物が未完全挿入状態で接続されることがなく、しかも接続対象物を反挿入方向に移動させることができないので、接続対象物がコネクタ本体から抜け出したり、接触不良や接続対象物の導電部に破損が生じるのを確実に防止することができる。
【発明を実施するための最良の形態】
【００１２】
図１乃至図８は本発明の第１の実施形態を示すもので、図１はコネクタの斜視図、図２はコネクタの正面図、図３はコネクタの平面断面図、図４はフレキシブルケーブルの平面図、図５乃至図７はコネクタの動作を示すＢ−Ｂ断面図、図８はコネクタの動作を示すＣ−Ｃ断面図である。
【００１３】
このコネクタは、接続対象物としてのフレキシブルケーブルＡの一端を挿入可能なコネクタ本体１０と、コネクタ本体１０に挿入されたフレキシブルケーブルＡの接点と電気的に接触する複数の端子２０と、フレキシブルケーブルＡを各端子２０側に押圧する押圧部材３０と、コネクタ本体１０に挿入されたフレキシブルケーブルＡを仮保持する仮保持部材４０とから構成されている。
【００１４】
フレキシブルケーブルＡは、いわゆるフレキシブルフラットケーブル（ＦＦＣ）と称されるものであり、その先端側の上方及び下方の両面には複数の導電部Ａ１が互いに幅方向に間隔をおいて設けられている。また、フレキシブルケーブルＡの両側端部には左右一対の切欠部Ａ２が設けられており、各切欠部Ａ２の前面、即ち各仮保持部材４０が係止する面は、下方に向かって平面をなす前端面Ａ２ａによって形成されている。なお、接続対象物としては、フレキシブルプリント回路（ＦＰＣ）等であってもよい。
【００１５】
コネクタ本体１０は非弾性部材（例えば合成樹脂）の成形品からなり、前面側を開口した箱状に形成されている。即ち、コネクタ本体１０は、上面部１１、背面部１２、側面部１３及び底面部１４からなり、その前面開口部からフレキシブルケーブルＡが挿入されるようになっている。背面部１２には、複数の端子孔１２ａが互いに幅方向に等間隔で設けられ、各端子孔１２ａには各端子２０がそれぞれ保持されるようになっている。また、各端子孔１２ａの配列方向両端側には、一対の仮保持孔１２ｂが設けられ、各仮保持孔１２ｂには各仮保持部材４０がそれぞれ保持されるようになっている。各側面部１３には、それぞれ前後方向に延びる長孔１３ａが設けられ、各長孔１３ａに押圧部材３０を係合するとともに、各長孔１３ａの前端部１３ｂに押圧部材３０を係止するようになっている。各端子孔１２ａの配列方向両端側にはコネクタ本体１０と一体に形成された左右一対の係止部１５が上方に向かって突設されており、各係止部１５にフレキシブルケーブルＡの各切欠部Ａ２を係止するようになっている。また、各係止部１５は、各端子２０がフレキシブルケーブルＡとの接触方向、即ち上方に突出した高さよりも高く形成されており、その前端部は、コネクタ本体１０の後方に向かって上り傾斜をなすように形成されている。
【００１６】
各端子２０は導電性の金属板からなり、コネクタ本体１０の各端子孔１２ａにそれぞれ保持されている。各端子２０は、互いに上下方向に間隔をおいて前方に二股状に延びる固定片部２１及び弾性片部２２を有し、その後端には基板（図示せず）に接続される基板接続部２３が設けられている。
【００１７】
押圧部材３０は合成樹脂の成形品からなり、コネクタ本体１０の外部に配置される操作部３１と、コネクタ本体１０内に配置される押圧片３２と、コネクタ本体１０内に挿入される左右一対のアーム部３３とから構成されている。操作部３１は押圧部材３０の幅方向に延び、その両端には把持部３１ａが突設されている。また、操作部３１の下面中央にはフレキシブルケーブルＡを挿通可能な凹部３１ｂが設けられている。押圧片３２は操作部３１の背面中央から後方に延び、各端子２０の固定片部２１の下方に位置するようになっている。また、押圧片３２の厚さ寸法は、先端側に向かって徐々に小さくなるように形成されている。各アーム部３３は操作部３１の背面両端側から後方に向かって延び、それぞれコネクタ本体１０の各長孔１３ａ内に前後方向に移動自在に挿入されている。また、各アーム部３３の先端には長孔１３ａの前端部１３ｂに係止する係止片３３ａが幅方向に突出するように設けられ、係止片３３ａの前面、即ち各長孔１３ａの前端部１３ｂに係止する面は、後方に向かって下り傾斜をなす傾斜面３３ｂによって形成されている。また、各アーム部３３の前後方向中央部には幅方向に突出する山形の突起部３３ｃが設けられ、アーム部３３が前後方向に移動する際、アーム部３３の弾性変形により突起部３３ｃが長孔１３ａの前端部１３ｂを強制的に乗り越えるようになっている。
【００１８】
各仮保持部材４０は導電性の金属板からなり、コネクタ本体１０の各仮保持孔１２ｂにそれぞれ保持されている。各仮保持部材４０の上部には前方に延びるとともに上方に弾性変形するように形成された弾性片４１が設けられており、さらに弾性片４１の先端には下方に突出した突片４１ａが設けられている。また、各仮保持部材４０の後端には、基板に接続される接続部４２が設けられている。
【００１９】
以上のように構成されたコネクタにおいては、各端子２０の基板接続部２３及び各仮保持部材４０の接続部４２を基板に半田付けすることにより、各端子２０及び各仮保持部材４０が基板に接続される。また、フレキシブルケーブルＡをコネクタに接続する場合は、図５に示すように押圧部材３０を前方に引き出すことにより、フレキシブルケーブルＡがコネクタ本体１０内に挿入可能となる。即ち、押圧部材３０の押圧片３２の厚さ寸法は、先端側に向かって徐々に小さくなるように形成されているので、押圧部材３０が前方に移動すると、底面部１４と押圧片３２との間隔が広がり、フレキシブルケーブルＡが底面部１４と押圧片３２との間に挿入可能となる。また、押圧部材３０を前方に引き出すと、各アーム部３３の突起部３３ｃが長孔１３ａの前端部１３ｂを乗り越えるとともに、長孔１３ａの前端部１３ｂにアーム部３３の係止片３３ａが係止することにより、押圧部材３０が引き出し位置に保持される。その際、係止片３３ａの傾斜面３３ｂが長孔１３ａの前端部１３ｂに当接し、突起部３３ｃによる押圧部材３０の前方位置への保持力によって傾斜面３３ｂが長孔１３ａの前端部１３ｂに沿って垂直になろうとする。これにより、図５に示すように押圧部材３０が上方に回動してその前端側が上昇し、フレキシブルケーブルＡの挿入が容易になる。
【００２０】
次に、フレキシブルケーブルＡをコネクタ本体１０に挿入すると、フレキシブルケーブルＡの先端の幅方向両端側が各係止部１５の前端部に当接した後、各係止部１５の前端側の傾斜面に案内されながら各係止部１５の上面に乗り上げる。そして、図６に示すように、フレキシブルケーブルＡの先端の幅方向両端側が各仮保持部材４０に接触した後、各仮保持部材４０の弾性片４１がフレキシブルケーブルＡの上面に沿って上方に弾性変形する。さらに、図７に示すように、フレキシブルケーブルＡをコネクタ本体１０の後方に向けて挿入すると、フレキシブルケーブルＡの先端が各係止部１５を乗り越えるとともに、フレキシブルケーブルＡの各切欠部Ａ２とコネクタ本体１０の各係止部１５とが嵌合して、フレキシブルケーブルＡが下方に移動する。このとき、弾性変形した各仮保持部材４０の弾性片４１がフレキシブルケーブルＡを下方に付勢しながら元の形状に復元する。そして、フレキシブルケーブルＡが各仮保持部材４０に押圧されながら各係止部１５に嵌合する感触がフレキシブルケーブルＡを介して外部に伝わる。また、フレキシブルケーブルＡの各切欠部Ａ２が各係止部１５に嵌合すると、図８に示すようにフレキシブルケーブルＡの各導電部Ａ１と各端子２０の弾性片部２２とが接触するとともに、フレキシブルケーブルＡの各切欠部Ａ２が各係止部１５に係止する。これにより、フレキシブルケーブルＡは各仮保持部材４０によってコネクタ１０内に仮保持される。この場合、フレキシブルケーブルＡは、非弾性部材からなる各係止部１５によって反挿入方向、即ちコネクタ本体１０の前方に係止されているので、各係止部１５の変形によって係止が解除されることでコネクタ本体１０から抜け出したり、各端子２０との間に位置ずれを生じることがない。さらに、仮保持部材４０は接続部４２を介して基板に接続されているので、フレキシブルケーブルＡとともにコネクタ本体１０の前方に引き抜かれることがない。
【００２１】
このように、本実施形態のコネクタによれば、各係止部１５を非弾性部材によって形成するとともに、コネクタ本体１０の端子配列方向両端側に、コネクタ本体１０内に挿入されたフレキシブルケーブルＡの上面に接触しながら上方に弾性変形し、フレキシブルケーブルＡの切欠部Ａ２が係止部１５に嵌合すると、フレキシブルケーブルＡを下方に付勢しながら復元する仮保持部材４０を設けたので、フレキシブルケーブルＡがコネクタ本体１０に完全に挿入されたとき、即ちフレキシブルケーブルＡの各切欠部Ａ２が各係止部１５に嵌合したときには、仮保持部材４０によって付勢されたフレキシブルケーブルＡが下方に押圧されながら各係止部１５に嵌合する感触がフレキシブルケーブルＡを介して得られる。また、フレキシブルケーブルＡをコネクタ本体１０の前方に引き抜くことができない。従って、フレキシブルケーブルＡが未完全挿入されるのを防止できるので、フレキシブルケーブルＡがコネクタ本体１０から抜け出したり、フレキシブルケーブルＡの導電部Ａ１と各端子２０の弾性片部２２との間に位置ずれが生じて接触不良になるのを確実に防止することができる。
【００２２】
さらに、各係止部１５をコネクタ本体１０と一体に形成したので、フレキシブルケーブルＡと接触することによって各係止部１５の位置ずれが生じてフレキシブルケーブルＡの切欠部Ａ２と各係止部１５とが嵌合しなくなることを防止でき、フレキシブルケーブルＡを完全に挿入したときは、フレキシブルケーブルＡの各切欠部Ａ２と各係止部１５とを確実に嵌合させることができる。
【００２３】
さらに、各係止部１５の前端部をコネクタ本体１０の後方に向かって上り傾斜をなすように形成したので、フレキシブルケーブルＡの先端の幅方向両端側が各係止部１５の前端部に当接した後、各係止部１５の前端部の傾斜面に案内されながら各係止部１５の上面に乗り上げることにより、フレキシブルケーブルＡを容易にコネクタ本体１０の後方に挿入することができる。従って、フレキシブルケーブルＡをコネクタ本体１０に挿入するときに、フレキシブルケーブルＡの先端が各係止部１５の前端部に当接することによって挿入が妨げられることがないという利点がある。
【００２４】
さらに、各係止部１５を、各端子２０がフレキシブルケーブルＡとの接触方向、即ち上方に突出した高さよりも高くなるように形成したので、フレキシブルケーブルＡをコネクタ本体１０に挿入するときに、フレキシブルケーブルＡの各導電部Ａ１が各端子２０に接触することがない。従って、各端子２０との接触によってフレキシブルケーブルＡの各導電部Ａ１に条線等が付く等の損傷を確実に防止することができる。
【００２５】
以下に、本発明の第２の実施形態として、係止部を設けない場合の構成について説明する。
【００２６】
図９乃至図１１はコネクタの動作を示すＢ−Ｂ断面図、図１２はコネクタの動作を示すＣ−Ｃ断面図であり、図９乃至図１２において前記実施形態と同一構成の部分は同一符号を付して示し、その説明を省略する。なお、図９に示すように、コネクタ本体１０には各係止部１５が設けられていない。
【００２７】
ここで、図９に示すように、フレキシブルケーブルＡをコネクタ本体１０に挿入する際、フレキシブルケーブルＡはコネクタ本体１０の底面部上面に沿って挿入される。そして、図１０に示すように、フレキシブルケーブルＡの先端の幅方向両端側が各仮保持部材４０に接触した後、各仮保持部材４０の弾性片４１がフレキシブルケーブルＡの上面に沿って上方に弾性変形する。さらに、図１１に示すように、フレキシブルケーブルＡをコネクタ本体１０の後方に向けて挿入すると、フレキシブルケーブルＡの先端が各端子孔１２ａの前面に当接し、当接した位置においてフレキシブルケーブルＡの挿入方向への移動が規制される。このとき、弾性変形した各仮保持部材４０の弾性片４１が元の形状に復元しながらフレキシブルケーブルＡの切欠部Ａ２に嵌合し、さらに弾性片４１の突片４１ａが切欠部Ａ２の前端面Ａ２ａに当接する。これにより、フレキシブルケーブルＡは各仮保持部４０によってコネクタ１０内に仮保持される。この場合、各仮保持部材４０がフレキシブルケーブルＡに嵌合したときに、フレキシブルケーブルＡが各仮保持部材４０によって下方に押圧される感触がフレキシブルケーブルＡを介して外部に伝わる。また、フレキシブルケーブルＡは、端子孔１２ａ及び仮保持部４０によって前後方向に係止されているので、コネクタ本体１０から抜け出したり、各端子２０との間に位置ずれが生じることがない。さらに、各仮保持部材４０は接続部４２を介して基板に接続されているので、フレキシブルケーブルＡとともにコネクタ本体１０の前方に引き抜かれることがない。
【００２８】
また、図１２に示すように、押圧部材３０の押圧片３２をコネクタ本体１０の後方に向けて挿入すると、フレキシブルケーブルＡを介して押圧片３２と底面部１４との間隔が徐々に狭くなり、押圧片３２によってフレキシブルケーブルＡが底面図１４側に押圧される。このとき、フレキシブルケーブルＡと各端子２０の弾性片部２２とが互いに圧接して電気的に接続される。
【００２９】
このように、本実施形態のコネクタによれば、コネクタ本体１０の各端子２０配列方向両端側に、コネクタ本体１０に挿入されたフレキシブルケーブルＡの上面に接触しながら上方に弾性変形し、フレキシブルケーブルＡをコネクタ本体１０の各端子孔１２ａの前面に当接するまで挿入すると、フレキシブルケーブルＡの切欠部Ａ２に復元しながら嵌合する仮保持部材４０を設けたので、仮保持部材４０が切欠部Ａ２に嵌合したときには、各仮保持部材４０が元の形状に復元しながらフレキシブルケーブルＡの切欠部Ａ２に嵌合する感触がフレキシブルケーブルＡを介して得られる。また、フレキシブルケーブルＡは、端子孔１２ａ及び仮保持部材４０によってコネクタ本体１０の前後方向に係止される。従って、フレキシブルケーブルＡが未完全挿入されるのを防止できるので、フレキシブルケーブルＡがコネクタ本体１０から抜け出したり、フレキシブルケーブルＡの導電部Ａ１と各端子２０の弾性片部２２との間に位置ずれが生じて接触不良になるのを確実に防止することができる。
【００３０】
なお、前記実施形態では、弾性変形するように形成された各仮保持部材４０がフレキシブルケーブルＡを一時的に押圧することによって感触が得られるように構成したものを示したが、非弾性部材からなる仮保持部材を設けてもよい。
【図面の簡単な説明】
【００３１】
【図１】本発明の第１の実施形態によるコネクタの斜視図
【図２】本発明の第１の実施形態によるコネクタの正面図
【図３】本発明の第１の実施形態によるコネクタの平面断面図
【図４】本発明の第１の実施形態によるフレキシブルケーブルの平面図
【図５】本発明の第１の実施形態によるコネクタの動作を示すＢ−Ｂ断面図
【図６】本発明の第１の実施形態によるコネクタの動作を示すＢ−Ｂ断面図
【図７】本発明の第１の実施形態によるコネクタの動作を示すＢ−Ｂ断面図
【図８】本発明の第１の実施形態によるコネクタの動作を示すＣ−Ｃ断面図
【図９】本発明の第２の実施形態によるコネクタの動作を示すＢ−Ｂ断面図
【図１０】本発明の第２の実施形態によるコネクタの動作を示すＢ−Ｂ断面図
【図１１】本発明の第２の実施形態によるコネクタの動作を示すＢ−Ｂ断面図
【図１２】本発明の第２の実施形態によるコネクタの動作を示すＣ−Ｃ断面図
【符号の説明】
【００３２】
１０…コネクタ本体、２０…端子、３０…押圧部材、４０…仮保持部材、４１ａ…突片、４２…接続部、Ａ…フレキシブルケーブル、Ａ２…切欠部、Ａ２ａ…前端面。
【図１】
2006269272.tif 000003
【図２】
2006269272.tif 000004
【図３】
2006269272.tif 000005
【図４】
2006269272.tif 000006
【図５】
2006269272.tif 000007
【図６】
2006269272.tif 000008
【図７】
2006269272.tif 000009
【図８】
2006269272.tif 000010
【図９】
2006269272.tif 000011
【図１０】
2006269272.tif 000012
【図１１】
2006269272.tif 000013
【図１２】
2006269272.tif 000014